(57)【要約】【課題】各手指のグリップ時の役割を考慮して各手指の屈伸性の大きさをそれぞれ調節し、製作コストも増やすことなく、プレイ中の発汗にも十分に配慮したゴルフ用手袋を提供する。【解決手段】本考案は、手袋の各手指の指袋の甲部に手指の長さ方向に沿って複数の小孔を形成したゴルフ用手袋において、１つの小孔の開口面積の違いや小孔の配置の違い並びに指袋甲部の面積に占める小孔の全面積の比率の違いにより他の手指よりも小指と薬指の屈伸性を大きくしたものである。【選択図】図１
0003168854.tif 000002
【実用新案登録請求の範囲】
【請求項１】
手袋の各手指の指袋の甲部に手指の長さ方向に沿って複数の小孔を形成したゴルフ用手袋において、
１つの小孔の開口面積の違いや小孔の配置の違い並びに指袋甲部の面積に占める小孔の全面積の比率の違いにより他の手指よりも小指と薬指の屈伸性を大きくしたことを特徴とするゴルフ用手袋。
【請求項２】
屈伸性の大きさは、小指≧薬指あるいは小指≦薬指とすることを特徴とする請求項１に記載のゴルフ用手袋。
【請求項３】
前記小指袋の甲部に形成された小孔は、菱形の角部の位置に４つの小孔が形成されたものを１単位とし、この１単位を指の長さ方向に沿って複数単位形成されているものであることを特徴とする請求項１又は２に記載のゴルフ用手袋。
【請求項４】
前記小指袋と薬指袋を除く手指袋の小孔は指の長さ方向に沿って一列に並んで形成され、薬指袋の小孔は指の長さ方向に沿って二列に並んで形成されていることを特徴とする請求項１ないし３のいずれか１項に記載のゴルフ用手袋。
【請求項５】
前記親指袋の甲部に形成される小孔は、開口面積の大きい小孔と小さい小孔とが指の長さ方向に沿って交互に形成されていることを特徴とする請求項１ないし４のいずれか１項に記載のゴルフ用手袋。
【考案の詳細な説明】
【技術分野】
【０００１】
本考案は、手指の関節部の屈伸を妨げないようにしたゴルフ用手袋に関するものである。
【背景技術】
【０００２】
従来のこの種のゴルフ用手袋としては、図３に示すように、手袋の指袋１００の甲部で、関節部に対応する部分の布片を除去した孔に、指の縦方向に伸縮する布片１０１を縫着したものが知られている（実開昭５９−１７２４７２号）。この考案は、ゴルフ手袋は皮革製でも布製でもゴルフのプレイ中に出る汗によって収縮して伸縮不良になるから指の屈伸が円滑にできないために、ゴルフクラブのグリップの把握が良好にできず、プレイが円滑にできない欠点に鑑みてなされたものである。
【０００３】
さらに別の従来例としては、図４に示すように、図３のような伸縮する布片１０１を縫着せず、中指袋１０２、薬指袋１０３及び小指袋１０４のみの手指の第２関節部に相当する部分の甲側に、中指、薬指、小指の屈伸をし易くするための開口１０５をそれぞれ開設し、これら開口１０５は長い楕円形状に形成されるとともに、その周縁が縁取帯１０６により縁取りされたものが知られている（特許第２７８９１８４号）。
【先行技術文献】
【特許文献】
【０００４】
【特許文献１】実開昭５９−１７２４７２号公報
【特許文献２】特許第２７８９１８４号公報
【考案の概要】
【考案が解決しようとする課題】
【０００５】
図３及び図４に示す従来例では、指袋の第２関節部の甲側に孔をあけ、一方の従来例では伸縮布片を縫着するという手間がかかり、他方の従来例では、縁取帯１０６を縫着するという手間がかかるものであった。また、各手指のグリップ時の役割について十分な考察がなされておらず、第２関節部のみしか着目せず、手指全体の十分な屈伸について配慮されておらず、かつプレイ中の発汗に対する十分な配慮も欠けていた。
【０００６】
そこで、本考案は、各手指のグリップ時の役割を考慮して各手指の屈伸性の大きさをそれぞれ調節し、特に小指、薬指でしっかりグリップすることが、ゴルフクラブを正しい軌道に沿って安定してスイングするために必要であり、小指と薬指の屈伸性に優れたものとし、プレイ中の発汗にも十分に配慮したゴルフ用手袋を提供することを目的とする。
【課題を解決するための手段】
【０００７】
上述の目的を達成するため、本考案は、手袋の各手指の指袋の甲部に手指の長さ方向に沿って複数の小孔を形成したゴルフ用手袋において、１つの小孔の開口面積の違いや小孔の配置の違い並びに指袋甲部の面積に占める小孔の全面積の比率の違いにより他の手指よりも小指と薬指の屈伸性を大きくしたものである。屈伸性の大きさについては、小指≧薬指でもいいし、小指≦薬指でもよい。
【考案の効果】
【０００８】
本考案によれば、手袋の各手指の指袋の甲部に手指の長さ方向に沿って複数の小孔を形成したゴルフ用手袋において、１つの小孔の開口面積の違いや小孔の配置の違い並びに指袋甲部の面積に占める小孔の全面積の比率の違いにより他の手指よりも小指と薬指の屈伸性を大きくしたので、小孔が通気孔となり発汗対策となり、伸縮布片の縫着や縁取帯の縫着という作業がなくなり、小指と薬指の屈伸性を十分なものとし、各手指の屈伸性を個々に調節することもできる。
【図面の簡単な説明】
【０００９】
【図１】手袋甲部の正面図
【図２】手袋手の平部の正面図
【図３】従来例の斜視図
【図４】他の従来例の甲部正面図
【考案を実施するための形態】
【００１０】
以下に、本考案の好適な実施形態について図１及び図２を参照にして説明する。
【００１１】
図１において、手袋の各手指を入れる小指袋１、薬指袋２、中指袋３、人差指袋４、親指袋５の甲部に、各手指の長さ方向、すなわち指の付け根から指先方向に向けて複数の小孔１０を形成してある。これらの小孔１０は、発汗時の通気孔となるものである。小指袋１の小孔１０は、符号１０ａで示し、正面形状が菱形となる角部の位置に４つの小孔（丸孔）１０ａで構成される１単位の丸孔群が、小指の長さ方向に沿って４ヶ所（４単位）形成されている。従来例のように手指の第２関節部に限定されるものではなく、全ての関節部での屈伸性を向上させている。小指袋１の小孔１０は、他の小孔１０の１つの小孔１０の開口面積に比べて小さく形成してある。これは、小指袋１の甲部の面積が、他の指の甲部の面積に比べて小さいため、小孔１０自体を大きくしたり、全体の開孔面積を大きくしたりすると、この部分の強度が弱くなるためである。後述するように、この小指袋１が、薬指袋２とともに、他の手指袋（３、４、５）の屈伸性よりも大きいものとするため、しかも強度面でも十分なものとするために、全部で１６個の微細な孔で小孔１０（４つの丸孔群）を構成したのである。なお、１単位（４つの小孔１０ａで構成）の丸孔群は、第１関節部と第３関節部の上にそれぞれ１単位ずつ存在し、第２関節部の上下（第２関節部を挟むように）に２単位配置され、合計４単位の丸孔群となり、小指全体の屈伸性を向上させている。
【００１２】
前記薬指袋２は、手指の長さ方向に沿って二列の小孔１０ｂで小孔１０を構成してある。１つの小孔１０ｂは、楕円形の孔で、同一開口面積の小孔１０ｂを右列７個、左列７個の合計１４個の小孔１０ｂで複数の小孔１０を構成した。甲部面積に占める小孔１０の全開口面積の比率は、この実施形態では、小指袋１よりも薬指袋２の方が高くなっている。ここで、甲部面積は、各指袋を形成する素材が手の平側指部６と甲部とを側部７でつなぐため、３つのパーツに分かれているので、側部７と甲部との境が縫着部８で区切られ、側部７を含まない甲側部分をいう（図２参照）。ただし、縫着部８がない場合、甲部正面図で見える部分としてもよい。そして、左右一対の２つの小孔１０ｂ、１０ｂの指先側から２番目、４番目、６番目が薬指の各関節部の上に存在するように配置してある。
【００１３】
前記中指袋３、人差指袋４、親指袋５の甲部には、一列に並んだ複数の小孔１０ｃ、１０ｄ、１０ｅが形成されている。中指袋３と人差指袋４の小孔１０ｃ、１０ｄは、楕円形の小孔であり、それぞれ８個（中指袋３）、６個（人差指袋４）形成されている。親指袋５の小孔１０は、開口面積の大きい小孔１０ｅと小さい小孔１０ｅとを交互に形成されたものである。開口面積の大きい小孔１０ｅは、楕円形であり、他の小孔１０ｂ、１０ｃ、１０ｄと同一形状、同一の大きさである。開口面積の小さい小孔１０ｅは、丸孔であり、小指袋１の小孔１０ａと同一形状、同一の大きさである。
【００１４】
図１における符号１１は、面ファスナーを用いた止着部を示す。図２に示す手指袋の手の平側指部６のうち人差指を除く部分と手の平部９は、皮革を用いて滑り止め機能をもたせている。親指袋５の手の平側指部１２も手の平部９と同一素材を用いている。
【００１５】
なお、前述した小孔１０は、必ずしも図面に示すような配置や開口面積でなくともよく、小指と薬指の屈伸性を十分なものとすることができる配置や開口面積であればよい。
【符号の説明】
【００１６】
１    小指袋
２    薬指袋
３    中指袋
４    人差指袋
５    親指袋
１０  小孔
【図１】
0003168854.tif 000003
【図２】
0003168854.tif 000004
【図３】
0003168854.tif 000005
【図４】
0003168854.tif 000006